(57)【要約】【課題】従来よりも大電流化を実現でき、しかも引出し線や接続線を簡素化できる回転電機用電機子を提供することである。【解決手段】  回転電機用電機子の電機子鉄心のスロットは、Ｕ相、Ｖ相及びＷ相スロット群を含み、各相スロット群にそれぞれセグメント導体の挿入部が４以上の偶数本挿入されている。電機子巻線はＵ相、Ｖ相及びＷ相巻線を含む。各相巻線は並列接続された第１から第４巻線（Ｕ１からＵ４等）から成り、第１巻線は直列接続された第１一方巻線部Ｕ１１及び第１他方巻線部Ｕ１２等を含む。第２巻線、第２巻線及び第４巻線についても同様である。一方巻線部は第１スロット群又は第２スロット群の半分のスロットに、他方巻線部は第２スロット群又は第１スロット群のスロットの半分に巻装され、各スロット内の挿入部の本数の半分を占める。第１巻線、第２巻線、第３巻線及び第４巻線は合成ベクトルが等しい。【選択図】図１
2005110361.tif 000002
【特許請求の範囲】
【請求項１】
複数のスロットを持つ電機子鉄心と、スロットに巻装された一対の挿入部を有する複数のセグメント導体を接合して成る電機子巻線と、から成る回転電機用電機子において、
前記スロットは、互いに隣接するＵ相第１スロット群とＵ相第２スロット群、互いに隣接するＶ相第１スロット群とＶ相第２スロット群、及び互いに隣接するＷ相第１スロット群とＷ相第２スロット群を含み、該各スロット群のスロット内に前記セグメント導体の挿入部が４以上の偶数本挿入され、
前記電機子巻線は前記Ｕ相第１スロット群及びＵ相第２スロット群に収容されるＵ相巻線、前記Ｖ相第１スロット群及びＶ相第２スロット群に収容されるＶ相巻線、並びに前記Ｗ相第１スロット群及びＷ相第２スロット群に収容されるＷ相巻線を含み、該Ｕ相巻線、該Ｖ相巻線及び該Ｗ相巻線は同じ構成を持ち、
前記各相巻線は互いに並列接続された第１巻線、第２巻線、第３巻線及び第４巻線から成り、該第１巻線は互いに直列接続された第１一方巻線部及び第１他方巻線部を含み、該第２巻線は互いに直列接続された第２一方巻線部及び第２他方巻線部を含み、該第３巻線は互いに直列接続された第３一方巻線部及び第３他方巻線部を含み、該第４巻線は互いに直列接続された第４一方巻線部及びＵ相第４他方巻線部を含み、
前記各相第１一方巻線部及び第１他方巻線部の導体セグメントの挿入部はそれぞれ前記各相第１スロット群及び第２スロット群の各半数の前記スロットに巻装され、該スロット当たり半数の挿入部から成り、前記各相第２一方巻線部及び第２他方巻線部の導体セグメントの挿入部はそれぞれ前記各相第２スロット群及び第１スロット群の各半数の前記スロットに巻装され、該スロット当たり半数の挿入部から成り、
前記各相第３一方巻線部及び第３他方巻線部のセグメント導体の挿入部はそれぞれ前記各相第１スロット群及び第２スロット群の各半数の前記スロットに巻装され、該スロット当たり半数の挿入部から成り、前記各相の第４一方巻線部及び第４他方巻線部のセグメント導体の挿入部はそれぞれ前記各相第２スロット群及び第１スロット群の各半数の前記スロットに巻装され、該スロット当たり半数の挿入部から成り、
前記第１巻線、前記第２巻線、前記第３巻線及び前記第４巻線は合成ベクトルが等しい、ことを特徴とする回転電機用電機子。
【請求項２】
前記各相第１一方巻線部は前記各相第１スロット群に収容され前記ステータコアを第１方向に半周し、前記各相第１他方巻線部は前記各相第２スロット群に収容され該ステータコアを第１方向に残り半周し、前記各相第２一方巻線部は前記各相第２スロット群に収容され前記ステータコアを第１方向に半周し、前記各相第２他方巻線部は前記各相第１スロット群に収容され該ステータコアを第１方向に残り半周し、
前記各相第３一方巻線部は前記各相第１スロット群に収容され前記ステータコアを第２方向に半周し、前記各相第３他方巻線部は前記各相第２スロット群に収容され該ステータコアを第２方向に残り半周し、前記各相第４一方巻線部は前記各相第２スロット群に収容され前記ステータコアを第２方向に半周し、前記各相第４他方巻線部は前記各相第１スロット群に収容され該ステータコアを第２方向に残り半周している請求項１に記載の回転電機用電機子。
【請求項３】
前記各相第１一方巻線部と前記各相第１他方巻線部とは各相第１接続部で、前記各相第２一方巻線部と前記各相第２他方巻線部とは各相第２接続部で、前記各相第３一方巻線部と前記各相第３他方巻線部とは各相第３接続部で、前記各相第４一方巻線部と前記各相第４他方巻線部とは各相第４接続部で、それぞれ接続され、
該各相第１接続部、該各相第２接続部、該各相第３接続部及び該各相第４接続部は、前記セグメント導体とは異なるスロットピッチの一対の挿入部を持つ異形セグメント導体から成る請求項２に記載の回転電機用電機子。
【請求項４】
前記各相第１巻線の第１一方巻線部の巻始め端と前記各相第３巻線の第３一方巻線部の巻始め端とは前記各相第１スロット群の同じスロットから延び出て、前記各相第２巻線の第２一方巻線部の巻始め端と前記各相第４巻線の第４一方巻線部の巻始め端とは前記第各相第２スロット群の同じスロットから延び出て、
前記各相第１巻線の第１他方巻線部の巻終り端と前記各相第３巻線の第３他方巻線部の巻終り端とは前記各相第２スロット群の同じスロットから延び出て、前記各相第２巻線の第２他方巻線部の巻終り端と前記各相第４巻線の第４他方巻線部の巻終り端とは前記各相第１スロット群の同じスロットから延び出ている、請求項２に記載の回転電機用電機子。
【請求項５】
前記各相第１巻線の第１一方巻線部の巻始め端と前記各相第２巻線の第２一方巻線部の巻始め端とは前記各相第１スロット群の一スロットと該スロットに隣接する前記第２スロット群のスロットから延び出て、前記各相第３巻線の第３一方巻線部の巻始め端と前記各相第４巻線の第４一方巻線部の巻始め端とは前記第各相第１スロット群の一スロットと該スロットに隣接する前記第各相第２スロット群のスロットから延び出て、
前記各相第１巻線の第１他方巻線部の巻終り端と前記各相第２巻線の第２他方巻線部の巻終り端とは前記各相第１スロット群の一スロットと該スロットに隣接する前記各相第２スロット群のスロットから延び出て、前記各相第３巻線の第３他方巻線部の巻終り端と前記各相第４巻線の第４他方巻線部の巻終り端とは前記各相第１スロット群の一スロットと該スロットに隣接する前記各相第２スロット群のスロットから延び出ている、請求項２に記載の回転電機用電機子。
【請求項６】
前記各相第１巻線の前記第１一方巻線部及び第１他方巻線部、並びに前記各相巻線の前記第２一方巻線部及び第２他方巻線部は重ね波巻きを含み、該重ね波巻きを構成するセグメント導体の挿入部が、前記スロットに収容された挿入部の半分を占めている請求項２に記載の回転電機用電機子。
【発明の詳細な説明】
【技術分野】
【０００１】
本発明は、例えば車両で使用される回転電機の電機子に関する。
【背景技術】
【０００２】
近年、車両では電気負荷が増加しており、車両用交流発電機には高出力化（電機子巻線の許容電流アップ）が求められている。また、発電機をインバータ駆動することにより、スタータ機能（電動機能）を付加することがある。電動機として使用する場合、良好な始動性能をえるためには、許容電流のアップが必要である。
【０００３】
車両用交流発電機の電機子巻線（ステータコイル）として、図１０及び図１１に示すように、この電機子（ステータ）のＸ相を構成する巻線（Ｘ相巻線）が、並列接続された２つの部分巻線１００及び１０５を有するものが知られている。このうち、第１部分巻線１００は、ステータコアの第１スロット群（例えば第４スロット）に収容された複数のセグメント導体から成る巻線１０１と、第１スロット群と隣接する第２スロット群（例えば第５スロット）に収容された複数のセグメント導体から成る巻線１０２とを直列接続して構成されている。第２部分巻線１０５は第１スロット群（例えば第１０スロット）に収容された巻線１０６と第２スロット群（例えば第１１スロット）に収容された巻線１０７とを直列接続して成る。
【０００４】
セグメント導体の一対の挿入部（直線部）が各スロット群に収容されている。第１部分巻線１００及び第２部分巻線１０５は、それぞれ、第１スロット群に収容された挿入部の半分と、第２スロット群に収容された挿入部の半分とを有しており、それらの端部における電気的な位相が等しくなっている。つまり、各スロット群に２本ずつ挿入部が挿入された導体セグメントを接合した巻線で並列スター結線を実現している。
【特許文献１】特開２００１−１６９４９０号公報
【発明の開示】
【発明が解決しようとする課題】
【０００５】
従来のステータでは、互いに隣接する第１スロット群及び第２スロット群に２本ずつ収容される合計４つの巻線１０１，１０２，１０６及び１０７をたすきがけ状に接続している。これにより、２つの巻線１０１及び１０２と、２つの巻線１０６及び１０７とが直列接続されて成る相巻線（部分巻線１００及び１０５）を並列接続して、通電電流の倍増を意図している。
【０００６】
しかし、従来のステータには以下の２つの点で改良の余地がある。第１に、通電電流の上昇に限界がある。許容電流をアップさせるためには電機子巻線の抵抗を下げれば良く、そのためには導体セグメント（平角銅線）の断面積を増やすことが考えられる。しかし、断面積が大きくなると、セグメント導体の表面に電流が集中する表皮効果のため、電流の増加は頭打ちになってしまう。
【０００７】
第２に、引出し線等の製作が困難である。ステータコアの端面において巻線１０１の他端は引出し線１１１によりＸ点に接続され、巻線１０２の他端は接続線１１４により中性点Ｎに接続されている。巻線１０７の他端は引出し線１１３によりＸ点に接続され、巻線１０６の他端は接続線１１４により中性点Ｎに接続されている。
【０００８】
各スロット群に２本ずつの挿入部を有する巻線で並列スター結線するには、図１１に示すように、各相の引出し線１１１，１１３及び接続線１１２，１１４は互いに離れた２箇所から１つに括る必要がある。これらの引出し線１１１，１１３及び接続線１１２，１１４が長くしかも形状が複雑で製作が難しかった。
【０００９】
更に、電機子巻線の抵抗を下げるべく導体セグメントの断面積を大きくすると（太くすると）、引出し線１１１，１１３や接続線１１２，１１４の曲げ加工が困難になる。
【００１０】
本発明は上記事情に鑑みてなされたもので、更なる大電流化を実現でき、しかも引出し線や接続線を簡素化できる回転電機用電機子を提供することを目的とする。
【課題を解決するための手段】
【００１１】
本発明は、ステータコアの各スロットにセグメント導体の挿入部を４本（以上）挿入し、各相巻線において、１極当り８本のスロット導体により第１並列巻線から第４並列巻線を構成する、即ち電気的に等価な４つの並列回路を構成することを基本的な技術思想とする。
【００１２】
本発明による回転電機用電機子は、請求項１に記載したように、複数のスロットを持つ電機子鉄心と、スロットに巻装された一対の挿入部を有する複数のセグメント導体を接合して成る電機子巻線と、から成る回転電機用電機子において、
（イ）スロットは、互いに隣接するＵ相第１スロット群とＵ相第２スロット群、互いに隣接するＶ相第１スロット群とＶ相第２スロット群、及び互いに隣接するＷ相第１スロット群とＷ相第２スロット群を含み、各スロット群のスロット内にセグメント導体の挿入部が４以上の偶数本挿入されている。
（ロ）電機子巻線はＵ相第１スロット群及びＵ相第２スロット群に収容されるＵ相巻線、Ｖ相第１スロット群及びＶ相第２スロット群に収容されるＶ相巻線、並びにＷ相第１スロット群及びＷ相第２スロット群に収容されるＷ相巻線を含み、Ｕ相巻線、Ｖ相巻線及びＷ相巻線は同じ構成を持つ。
【００１３】
各相巻線は互いに並列接続された第１巻線、第２巻線、第３巻線及び第４巻線から成り、第１巻線は互いに直列接続された第１一方巻線部及び第１他方巻線部を含み、第２巻線は互いに直列接続された第２一方巻線部及び第２他方巻線部を含み、第３巻線は互いに直列接続された第３一方巻線部及び第３他方巻線部を含み、第４巻線は互いに直列接続された第４一方巻線部及びＵ相第４他方巻線部を含む。
（ハ）各相第１一方巻線部及び第１他方巻線部の導体セグメントの挿入部はそれぞれ各相第１スロット群及び第２スロット群の各半数のスロットに巻装され、スロット当たり半数の挿入部から成り、各相第２一方巻線部及び第２他方巻線部の導体セグメントの挿入部はそれぞれ各相第２スロット群及び第１スロット群の各半数のスロットに巻装され、スロット当たり半数の挿入部から成り、各相第３一方巻線部及び第３他方巻線部のセグメント導体の挿入部はそれぞれ各相第１スロット群及び第２スロット群の各半数のスロットに巻装され、スロット当たり半数の挿入部から成り、各相の第４一方巻線部及び第４他方巻線部のセグメント導体の挿入部はそれぞれ各相第２スロット群及び第１スロット群の各半数のスロットに巻装され、スロット当たり半数の挿入部から成る。
（ニ）第１巻線、第２巻線、第３巻線及び第４巻線は合成ベクトルが等しい。
【００１４】
このように、ステータコアのスロットは第１スロット群と第２スロット群とを含み、各スロットにはセグメント導体の挿入部が４以上の偶数本挿入されている。各相巻線は同じ構成を持ち、互いに並列接続された第１巻線乃至第４巻線を含み、各巻線は互いに直列接続された一方巻線部及び他方巻線部を含む。
【００１５】
４つの一方巻線部は第１スロット群又は第２スロット群のスロットの半分に、４つの他方方巻線部は第２スロット群又は第１スロット群のスロットの半分に、巻装されている。第１巻線乃至第４巻線は合成ベクトルが等しい。
【００１６】
請求項２の回転電機用電機子は、請求項１において、各相第１一方巻線部は各相第１スロット群に収容されステータコアを第１方向に半周し、各相第１他方巻線部は各相第２スロット群に収容されステータコアを第１方向に残り半周し、各相第２一方巻線部は各相第２スロット群に収容されステータコアを第１方向に半周し、各相第２他方巻線部は各相第１スロット群に収容されステータコアを第１方向に残り半周している。
【００１７】
各相第３一方巻線部は各相第１スロット群に収容されステータコアを第２方向に半周し、各相第３他方巻線部は各相第２スロット群に収容されステータコアを第２方向に残り半周し、各相第４一方巻線部は各相第２スロット群に収容されステータコアを第２方向に半周し、各相第４他方巻線部は各相第１スロット群に収容されステータコアを第２方向に残り半周している。
【００１８】
請求項３の回転電機用電機子は、請求項２において、各相第１一方巻線部と各相第１他方巻線部とは各相第１接続部で、各相第２一方巻線部と各相第２他方巻線部とは各相第２接続部で、各相第３一方巻線部と各相第３他方巻線部とは各相第３接続部で、各相第４一方巻線部と各相第４他方巻線部とは各相第４接続部で、それぞれ接続され、
各相第１接続部、各相第２接続部、各相第３接続部及び各相第４接続部は、セグメント導体とは異なるスロットピッチの一対の挿入部を持つ異形セグメント導体から成る。
【００１９】
請求項４の回転電機用電機子は、請求項２において、各相第１巻線の第１一方巻線部の巻始め端と各相第３巻線の第３一方巻線部の巻始め端とは前記各相第１スロット群の同じスロットから延び出て、各相第２巻線の第２一方巻線部の巻始め端と各相第４巻線の第４一方巻線部の巻始め端とは第各相第２スロット群の同じスロットから延び出て、
各相第１巻線の第１他方巻線部の巻終り端と各相第３巻線の第３他方巻線部の巻終り端とは各相第２スロット群の同じスロットから延び出て、各相第２巻線の第２他方巻線部の巻終り端と各相第４巻線の第４他方巻線部の巻終り端とは各相第１スロット群の同じスロットから延び出ている。
【００２０】
請求項５の回転電機用電機子は、請求項２において、各相第１巻線の第１一方巻線部の巻始め端と各相第２巻線の第２一方巻線部の巻始め端とは各相第１スロット群の一スロットとこのスロットに隣接する第２スロット群のスロットから延び出て、各相第３巻線の第３一方巻線部の巻始め端と各相第４巻線の第４一方巻線部の巻始め端とは各相第１スロット群の一スロットとこのスロットに隣接する各相第２スロット群のスロットから延び出ており、
各相第１巻線の第１他方巻線部の巻終り端と各相第２巻線の第２他方巻線部の巻終り端とは各相第１スロット群の一スロットとこのスロットに隣接する各相第２スロット群のスロットにから延び出て、各相第３巻線の第３他方巻線部の巻終り端と各相第４巻線の第４他方巻線部の巻終り端とは各相第１スロット群の一スロットとこのスロットに隣接する各相第２スロット群のスロットから延び出ている。
【００２１】
請求項６の回転電機用電機子は、請求項２において、各相第１巻線の第１一方巻線部及び第１他方巻線部、並びに各相巻線の第２一方巻線部及び第２他方巻線部は重ね波巻きを含み、重ね波巻きを構成するセグメント導体の挿入部が、スロットに収容された挿入部の半分を占めている。
【発明の効果】
【００２２】
この回転電機用電機子によれば、高出力化可能である。各相巻線を互いに合成ベクトルが等しい第１巻線乃至第４巻線で並列接続したからである。各巻線の合成ベクトルは、一方巻線部と他方巻線部とで収容スロットを変更することにより調整できる。また、各スロットに４本以上の挿入部を挿入したので、断面積の小さいセグメント導体の剛性が小さくでき、第１巻線乃至第４巻線の巻始め側及び巻終り側での配回しが容易になる。
【００２３】
請求項２の回転電機用電機子によれば、第１巻線乃至第４巻線の各々が互いに同一方向に半周ずつ巻装された一方巻線部及び他方巻線部により構成され、第１から第４の各巻線がステータコアに１周ずつ巻装されているので、第１巻線乃至第４巻線を電気的磁気的にバランスさせることができる。
【００２４】
請求項３の回転電機用電機子によれば、一方巻線部と他方巻線部とを異形導体セグメントで接続することにより所定の合成ベクトルを持つ第巻線１乃至第４巻線を形成できる。異形セグメント導体は、通常のセグメント導体とスロットピッチが異なるのみであるので、スロットへの挿入及び接合を通常のセグメント導体と同様に同様に行うことができる。
【００２５】
請求項４及び５の回転電機用電機子によれば、第１巻線乃至第４巻線の巻始め側でも巻終り側でも、第１巻線及び第３巻線を第１スロット群の同じスロットから、第２巻線及び第４巻線を第１スロット群に隣接する第２スロット群の同じスロットから引き出せるので、配回し作業が容易である。請求項６の回転電機用電機子によれば、第１巻線及び第２巻線の一部が重ね波巻きを含むことにより、巻始め側及び巻終り側で第１から第４巻線の引出し線を近接させることができる。
【発明を実施するための最良の形態】
【００２６】
（１）回転電機（発電機・電動機）
回転電機はハウジング、ステータ、ロータ及び制御装置を含む。回転電機を発電機として使用するときは、外力（例えばエンジンの補機駆動ベルト）によりプーリを介してロータを回転する。電機子に発生した交流電力を制御装置で直流電力に変換して直流電源に充電する。これに対して、回転電機を電動機として使用するときは、直流を制御装置で交流に変換してステータに供給する。回転するロータの回転力を利用して負荷を駆動する。例えぱプーリ２２を介して補機駆動ベルトによりエンジンを始動する。
【００２７】
（２）ステータ
ステータは少なくとも電機子鉄心と電機子巻線とから成る。更に、電機子巻線を電機子鉄心から絶縁するインシュレータを含むことができる。電機子鉄心は内周面に複数のスロットを備えている。スロットは、Ｕ相スロット群、Ｖ相スロット群及びＷ相スロット群から成り、より詳しくはＵ相第１スロット群及びこれに隣接するＵ相第２スロット群、Ｖ相第１スロット群及びこれに隣接するＶ相第２スロット群、Ｗ相第１スロット群及びこれに隣接するＷ相第２スロット群から成る。各相第１スロット群のスロット数と各相第２スロット群のスロット数とは等しい。
【００２８】
交流発電機をべ一スとする場合、例えば極数が１６より、スロット数は９６（極数の３×２倍）としている。
【００２９】
（３）電機子巻線
電機子巻線は、Ｕ相巻線、Ｖ相巻線及びＷ相巻線から成り、各相巻線は複数の松葉形状のセグメント導体を接合して構成される。セグメント導体はステータコアのスロットに挿入される一対の挿入部と、ステータコアの一端面から突出するＵ字形状のターン部と、ステータコアの他端面から突出し接合される一対の接合部とを含む。各スロット内にはセグメント導体の挿入部が４本以上の偶数本（４本、６本、８本・・）ずつ挿入される。例えばＵ相スロット群の場合、一対の挿入部は何れもＵ相第１スロット群又はＵ相第２スロット群に挿入される。
【００３０】
各相巻線は第１巻線乃至第４巻線から成る。たとえばＵ相巻線はＵ相第１巻線、Ｕ相第２巻線、Ｕ相第３巻線及びＵ相第４巻線を含む。第１巻線乃至第４巻線は、それぞれ直列接続され、ステータコアをそれぞれ半周する各相一方巻線部及び各相他方巻線部を含む。たとえば、Ｕ相第１巻線は、Ｕ相第１スロット群に第１（右）周回方向に半周巻装されたＵ相第１一方巻線部と、Ｕ相第２スロット群に第１周回方向に半周巻装されたＵ相第１他方巻線部とを直列接続して成る。即ち、始めの半周と残りの半周とでは収容されるスロット群が異なる。
【００３１】
各相第１巻線と各相第２巻線とはステータコアの第１スロット群及び第２スロット群のスロットに第１周回方向に巻装され、各相第３巻線と各相第４巻線とは第１スロット群及び第２スロット群のスロットに第２周回方向に巻装される。
【００３２】
各相第１一方巻線部及び第３一方巻線部のセグメント導体の挿入部が各相第１スロット群の半分のスロットに、各相第１他方巻線部及び第３他方巻線部のセグメント導体の挿入部が第２スロット群の半分のスロットに収容されている。そして、各相第２一方巻線部及び第４一方巻線部のセグメント導体の挿入部が各相第２スロット群の半分のスロットに、各相第２及他方巻線部び第４他方巻線部のセグメント導体の挿入部が第１スロット群の半分のスロットに収容されている。
【００３３】
各相第１巻線乃至第４巻線の始めの半周と残りの半周とでセグメント導体の挿入部が収容されるスロット群を変更するため、第１乃接続部至第４接続部を設けている。例えばＵ相第１一方巻線部とＵ相第１他方巻線部とはＵ相第１接続部で接続され、第１接続部には異形セグメント導体を利用できる。異形セグメント導体は通常のセグメント導体と比べて挿入部間のピッチが異なり、両方の挿入部は同相の異なるスロット群に挿入される。
【００３４】
第１接続部及び第３接続部用の異形セグメント導体と、第２接続部及び第４接続部用の異形セグメント導体とではスロットピッチが異なる。なお、接続部はステータコアの円周方法で引出し部と正反対（直径方向で対向する位置）に配置することが望ましいが、正反対位置から何れかの円周方向にずれていても良い。
【００３５】
各相巻線の第１巻線乃至第４巻線の巻始めの引出し線は出力端子に接続される。たとえば、Ｕ相第１巻線乃至第４巻線部の巻始めの引出し線はＵ相出力端子に接続される。その際、各相第１巻線及び各相第３巻線を同じ（第１）スロット群から引き出し、各相第２巻線及び各相第４巻線を同じ（第２）スロット群から引き出すことができる。各相第１巻線と第２巻線、第３巻線と第４巻線は、隣接するスロット群から引き出されることになる。
【００３６】
各相巻線の第１巻線から第４巻線の巻終り引出し線は中性点に接続される。例えば、Ｕ相巻線の第１巻線乃至第４巻線部の巻終わり引出し線は第１中性点乃至第４中性点に別々に接続される。各相第１巻線及び各相第３巻線を同じ（第２）スロット群から引き出し、各相第２巻線及び各相第４巻線を同じ（第１）スロット群から引き出すことができる。
【実施例】
【００３７】
以下、本発明の実施例を添付図面を参照しつつ説明する。
（構成）
ａ．全体
図１に示す回転電機はハウジング１０、電機子（ステータ）３０及びロータ２５、制御装置９０等を含む。ハウジング１０のそれぞれ一端が開口した左方ハウジング１１及び右方ハウジング１６内にステータ３０及びロータ２５が配置されている。即ち、左方ハウジング１１の端壁及び右方ハウジング１６の端壁に軸受１２及び１７を介して回転軸２０が回転可能に支持されている。左方の端壁から突出した軸部分にプーリ２２が固定され、中間部にロータ２５が取り付けられている。
【００３８】
ロータ２５は一対のロータコア２６ａ、２６ｂと、両ロータコア間に巻かれた界磁コイル２７とを含む。左方ハウジング１１の周壁部に取り付けられたステータ３０は、電機子鉄心（ステータコア）３２とそのスロットに挿入された電機子巻線（ステータコイル）３５とを含み、ロータ２５と対向している。ステータ３０については後述する。
【００３９】
ロータ２５の左側面の外周寄りにファン２８ａが形成され、これに対向して左方ハウジング１１に通気孔１３ａ、１３ｂが形成されている。ロータ２５の右側面にはファン２８ｂが形成され、これに対応して右方ハウジング１６に通気孔１８ａ、１８ｂが形成されている。ハウジング１０に取り付けられたケーシング８０は樹脂材料から成り、全体としてドーナツ形状を持ち、その中空部にブラシホルダ８２が配置されている。
【００４０】
ブラシホルダ８２により保持されたブラシ８３が、回転軸２０の右端に取り付けたスリップリング１９に接触している。ケーシング８０の空間内に、直流を交流に変換するトランジスタや、交流を直流に整流するダイオードが装備されている。外周面には出力端子８４が立設されている。ブラシホルダ８２やケーシング８０により制御装置９０が構成される。
【００４１】
ｂ．ステータ
次に、ステータ３０の概略について説明する。図１及び図２から分かるように、ステータ３０はステータコア３２とステータコイル３５とから成る。ステータコア３２は全体的にリング形状を呈し、その内周面に軸方向に延びる多数のスロット３３が所定ピッチで形成されている。各スロット３３は同じ形状で、所定幅及び所定深さを持ち、開口側は幅（円周方向寸法）が小さくなっている。
【００４２】
後述するように、ステータコア３２のスロット３３はＵ相コイルが巻回されるＵ相第１スロット群ＵＳ１及びＵ相第２スロット群ＵＳ２、Ｖ相コイルが巻回されるＶ相第１スロット群ＶＳ１及びＶ相第２スロット群ＶＳ２、そしてＷ相コイルが巻回されるＷ相第１スロット群ＷＳ１及びＷ相第２スロット群ＷＳ２の６つに分類される（図５参照）。各スロット群は６スロットピッチ離れた複数のスロット３３を含む。
【００４３】
各スロット３３にインシュレータ３１を介して、ステータコーイル３５の各相巻線を構成する、内側セグメント導体３７及び外側セグメント４２（正確にはその挿入部３８ａ、３８ｂ、４３ａ及び４３ｂ）が挿入されている。図３に示すように、内側セグメント導体３７は一対の平行な挿入部（直線部）３８ａ及び３８ｂと、その一端のＵ字形のターン部３９と、他端の一対の接合部４１ａ及び４１ｂとを含む。接合部４１ａ及び４１ｂは幅方向で互いに近づく方向に屈曲している。
【００４４】
外側セグメント導体４２は一対の平行な挿入部（直線部）４３ａ及び４３ｂと、その一端のＵ字形のターン部４４と、他端の一対の接合部４５ａ及び４５ｂとを含む。接合部４５ａ及び４５ｂは幅方向で互いに離れる方向に屈曲している。なお、破線で示したのはセグメント導体３７及び４２に接続される他セグメント導体の対応部分である。
【００４５】
図１において、内側導体セグメント３７の挿入部３８ａ及び３８ｂと、外側導体セグメント４２の挿入部４３ａ及び４３ｂとがスロット３３に挿入されている。一端のターン部３９及び４４はステータコア３２の一端面から、他端の接合部４１ａ、４１ｂ、４５ａ及び４５ｂは他端面から、それぞれ軸方向に突出している。
【００４６】
次に、ステータコイル３５のベクトル図、及びそれを実現するための各相巻線の形成（具体的には複数のセグメント導体３７及び４２の各相スロット３３への挿入、引出し及び接続）につき、図４から図９を参照しつつ説明する。なお、図５、図６、図７及び図９において各相スロット３３の径方向に挿入された４本の挿入部のうち、内径側から第１層を一点鎖線、第２層を破線、第３層を実線、そして第４層を二点鎖線で、それぞれ示している。
【００４７】
ｃ．ベクトル図
図４にステータコイル３５のベクトル図を示す。説明の都合及び理解の容易化のためステータコイル３５は並列接続された２つのスター結線Ｓ１及びＳ２から成るものとする。並列接続されたＵ相第１巻線Ｕ１及びＵ相第２巻線Ｕ２と、並列接続されたＶ相第１巻線Ｖ１及びＶ相第２巻線Ｖ２と、並列接続されたＷ相第１巻線Ｗ１及びＷ相第２巻線Ｗ２とが第１スター結線Ｓ１を構成している。
【００４８】
このうち、Ｕ相第１巻線Ｕ１は直列接続された巻線部（Ｕ相第１一方巻線部）Ｕ１１と巻線部（Ｕ相第１他方巻線部）Ｕ１２とを含み、Ｕ相第２巻線Ｕ２は直列接続された巻線部（Ｕ相第２一方巻線部）Ｕ２２と巻線部（Ｕ相第２他方巻線部）Ｕ２１とを含む。また、Ｖ相第１巻線Ｖ１は直列接続された巻線部Ｖ１１と巻線部Ｖ１２とを含み、Ｖ相第２巻線Ｖ２は直列接続された巻線部Ｖ２２巻線と巻線部Ｖ２１とを含む。更に、Ｗ相第１巻線Ｗ１は直列接続された巻線部Ｗ１１と巻線部Ｗ１２とを含み、Ｗ相第２巻線Ｗ２は直列接続された巻線部Ｗ２２と巻線部Ｗ２１とを含む。
【００４９】
並列接続されたＵ相第３巻線Ｕ３及びＵ相第４巻線Ｕ４と、並列接続されたＶ相第３巻線Ｖ３及びＶ相第４巻線Ｖ４と、並列接続されたＷ相第３巻線Ｗ３及びＷ相第４巻線Ｗ４とが第２スター結線Ｓ２を構成している。第２スター結線Ｓ１は第１スター結線Ｓ１と同じ構造を持ち、第１スター結線Ｓ１と並列接続されている。その結果、たとえばＵ相巻線は４つの並列接続されたＵ相第１巻線Ｕ１、Ｕ相第２巻線Ｕ２、Ｕ相第３巻線Ｕ３及びＵ相第４巻線Ｕ４から成る。
【００５０】
この事情はＶ相第３巻線Ｖ３及びＶ相第４巻線Ｖ４、Ｗ相第３巻線Ｗ３及びＷ相第４巻線部Ｗ４についても同様である。図４のベクトル図に対応するステータコイル３５の全体図は図５に示す通りである。
【００５１】
Ｕ相巻線、Ｖ相巻線及びＷ相巻線は上記内側導体セグメント３７及び外側導体セグメント４２を接合して成る。各相巻線につき事情は同じであるので、以下Ｕ相巻線を例にとって説明する。複数のセグメント導体３７及び４２のＵ相スロット（３３）への挿入、接続及び端部の接合によるＵ相巻線の形成につき、図６、図７、図８及び図９を参照しつつ説明する。なお、説明上の都合及び理解の容易化のため、図６のＵ相巻線を、図７及び図８のＵ相第１巻線Ｕ１及びＵ相第２巻線Ｕ２と、図９のＵ相第３巻線Ｕ３及びＵ相第４巻線Ｕ４とに分けて説明する。
【００５２】
また、巻線図（図５，６，７，９）はここでは４極（２４スロット）として説明しているが、本発明は他の極数でも実施可能である。回転電機を例えば車両用交流発電機に適用する場合は、多極（１６極又は１２極）とすることが高出力化の点で好ましい。
【００５３】
ｄ．Ｕ相第１巻線
図７及び図８に示すように、Ｕ相第１スロット群ＵＳ１及びＵ相第２スロット群ＵＳ２に、１スロット分（電気角で３０度）ずらしてＵ相巻線を構成するセグメント導体３７，４２の挿入部３８ａ、３８ｂ，４３ａ及び４３ｂが巻装されている。
【００５４】
Ｕ相第１巻線Ｕ１は、Ｕ相第１スロット群ＵＳ１に巻始め側から右周回方向に半周巻装された巻線部Ｕ１１と、Ｕ相第２スロット群ＵＳ２に途中から右周回方向に半周巻装された巻線部Ｕ１２と、巻線部Ｕ１１と巻線部Ｕ１２とを接続するＵ相第１接続部Ｕｃ１とから構成される。
【００５５】
詳しくは、巻線部Ｕ１１は、Ｕ相第１スロット群である第１５スロットの第１層、第９スロットの第２層・・に挿入されたセグメント導体３７、４２から成り、図７において右周回方向に始めの半周巻装されている。一方、巻線部Ｕ１２は、Ｕ相第２スロット群である第４スロットの第１層、第２２スロットの第２層・・に挿入されたセグメント導体３７、４２から成り、右周回方向に残りの半周巻装されている。
【００５６】
つまり、Ｕ相第１巻線Ｕ１は右回りの始めの半周（巻線部Ｕ１１）はＵ相第１スロット群（第１５、９スロット）に挿入され、残りの半周（巻線部Ｕ１２）はＵ相第２スロット群（第４、２２スロット）に挿入されている。
【００５７】
Ｕ相第１スロット群ＵＳ１とＵ相第２スロット群ＵＳ２とは１スロットピッチずれているので、巻線部Ｕ１１とＵ２２との電気角は３０度である。このスロット群の変更に使用する異形セグメント導体５５については後述する。
【００５８】
なお、巻線部Ｕ１１及びＵ１２は、いわゆる重ね波巻きを含む。たとえば巻線部Ｕ１１は第１５スロットと第９スロットとの間に、巻線部Ｕ１２は第４スロットと第２２スロットとの間に、重ね波巻きが存在する。その結果、第１５スロットと及び第９スロット、並びに第２２スロット及び第４スロットでは４本の挿入部の内２本は第１巻線Ｕ１の挿入部が占める。
【００５９】
ｅ．Ｕ相第２巻線
Ｕ相第２巻線Ｕ２は、Ｕ相第２スロット群ＵＳ２に右方向に半周巻装された巻線部Ｕ２２と、Ｕ相第１スロット群ＵＳ１に右周回方向に半周巻装された巻線部Ｕ２１と、巻線部Ｕ２２と巻線部Ｕ２１とを接続するＵ相第２接続部Ｕｃ２とから構成される。
【００６０】
詳しくは、巻線部Ｕ２２は、Ｕ相第２スロット群である第１６スロットの第１層、第１０スロットの第２層・・に挿入されたセグメント導体３７、４２から成り、右周回方向に始めの半周巻装されている。一方、巻線部Ｕ２１は、Ｕ相第１スロット群である第３スロットの第１層、第２１スロットの第２層・・に挿入されたセグメント導体３７、４２から成り、右周回方向に残りの半周巻装されている。巻線部Ｕ２２は第１６スロットと第１０スロットとの間に、巻線部Ｕ２１は第３スロットと第２１スロットとの間に、重ね波巻きが存在する。
【００６１】
つまり、巻線部Ｕ２は右回り始めの半周（巻線部Ｕ２２）はＵ相第２スロット群（第１６、１０スロット）に挿入され、残りの半周（巻線部Ｕ２１）ではＵ相第１スロット群（第３、２１スロット）に挿入される。巻線部Ｕ２２とＵ２１との間で電気角が３０度変化する。収容するスロット群の変更に利用しているＵ相第２接続部Ｕｃ２としての異形セグメント導体６０については後述する。
【００６２】
ｆ．Ｕ相第３巻線
図９において、Ｕ相第３巻線Ｕ３は、Ｕ相第１スロット群ＵＳ１に左周回方向に半周巻装された巻線部Ｕ３１と、Ｕ相第２スロット群ＵＳ２に左周回方向に半周巻装された巻線部Ｕ３２と、巻線部Ｕ３１と巻線部Ｕ３２とを接続するＵ相第３接続部Ｕｃ３とから構成される。
【００６３】
詳しくは、巻線部Ｕ３１は、Ｕ相第１スロット群である第１５スロットの第２層、第２１スロットの第１層・・に挿入されたセグメント導体３７、４２から成り、左周回方向に始めの半周巻装されている。一方、巻線部Ｕ３２は、Ｕ相第２スロット群である第４スロットの第２層、第１０スロットの第１層・・に挿入されたセグメント導体３７、４２から成り、左周回方向に残りの半周巻装されている。Ｕ相第３接続部Ｕｃ３を構成する異形導体セグメント６５については後述する。
【００６４】
ｇ．Ｕ相第４巻線
Ｕ相第４巻線は、Ｕ相第２スロット群ＵＳ２に左周回方向に半周巻装された巻線部Ｕ４２と、Ｕ相第１スロット群ＵＳ１に左周回方向に半周巻装された巻線部Ｕ４１と、巻線部Ｕ４２と巻線部Ｕ４１とを接続するＵ相第４接続部Ｕｃ４とから構成される。
【００６５】
巻線部Ｕ４２は、Ｕ相第２スロット群である第１６スロットの第２層、第２２スロットの第１層・・に挿入されたセグメント導体３７、４２から成り、左周回方向に始めの半周巻装されている。一方、巻線部Ｕ４１は、Ｕ相第１スロット群である第３スロットの第２層、第９スロットの第１層・・に挿入されたセグメント導体３７、４２から成り、左周回方向に残りの半周巻装されている。Ｕ相第４接続部Ｕｃ４を構成する異形導体セグメント７０については後述する。
【００６６】
第１５及び第１６スロット、並びに第２１及び第２２スロットの第１層は外側セグメント導体４２の一方挿入部４３ａから成り、第２層は内側セグメント導体３７の一方挿入部３８ａから成る。第３層は内側セグメント導体３７の他方挿入部３８ｂから成り、第４層は外側セグメント導体４２の他方挿入部４３ｂから成る。
【００６７】
図４において，Ｕ相第１一方巻線部Ｕ１１とＵ相第３一方巻線部Ｕ３１と、及びＵ相第１他方巻線部Ｕ１２とＵ相第３他方巻線部Ｕ３２とは同じベクトル成分を持つ。Ｕ相第２一方巻線部Ｕ２２とＵ相第４一方巻線部Ｕ４２と、及びＵ相第２他方巻線部Ｕ２１とＵ相第４他方巻線部Ｕ４１とは同じベクトル成分を持つ。よって、Ｕ相第１巻線Ｕ１と、Ｕ相第２巻線Ｕ２と、Ｕ相第３巻線Ｕ３と、Ｕ相第４巻線Ｕ４とで、合成ベクトルは同じである。
【００６８】
以上まとめると、第３スロットの第１層が巻線部Ｕ２１、第２層が巻線部Ｕ４１、第４スロットの第１層が巻線部Ｕ１２、第２層が巻線部Ｕ３２である。第９スロットの第１層が巻線部Ｕ４１、第２層が巻線部Ｕ１１、第１０スロットの第１層が巻線部Ｕ３２、第２層が巻線部Ｕ２２である。第１５スロットの第１層が巻線部Ｕ１１、第２層が巻線部Ｕ３１、第１６スロットの第１層が巻線部Ｕ２２、第２層が巻線部Ｕ４２である。そして、第２１スロットの第１層が巻線部Ｕ３１、第２層が巻線部Ｕ２１、第２２スロットの第１層が巻線部Ｕ４２、第２層が巻線部Ｕ１２である。
【００６９】
ｈ．Ｖ相コイル、Ｗ相コイル
図５において、Ｕ相スロット群にＶ相スロット群が隣接し、Ｖ相スロット群にＷ相スロット群が隣接している。詳しくは、Ｕ相第２スロット群ＵＳ２にＶ相第１スロット群ＶＳ１が隣接し、Ｖ相第２スロット群ＶＳ２にＷ相第１スロット群ＷＳ１が隣接している。Ｖ相スロット群ＶＳ１，ＶＳ２にＶ相巻線が収容され、Ｗ相スロット群ＷＳ１，ＷＳ２にＷ相巻線が収容されている。Ｖ相巻線及びＷ相巻線のＶ相スロット群ＶＳ１，ＶＳ２及びＷ相スロット群ＷＳ１，ＷＳ２への収容方法は上記Ｕ相巻線のＵ相スロット群ＵＳ１，ＵＳ２への収容方法と同じである。
【００７０】
Ｕ相スロット群のＵ相巻線とＶ相スロット群のＶ相巻線とは互いに４スロット分（電気角で１２０度）ずらして巻装されている。Ｖ相スロット群のＶ相巻線とＷ相スロット群ＷＳ１のＷ相巻線とも同様である（図５参照）。
【００７１】
ｉ．接続部
次に、上記Ｕ相第１接続部Ｕｃ１からＵ相第４接続部Ｕｃ４を構成する異形導体セグメント５５，６０，６５及び７０について図６をもとに説明する。Ｕ相第１接続部Ｕｃ１及びＵ相第３接続部Ｕｃ３は、異形セグメント導体５５及び６５により構成されている。この異形セグメント導体５５及び６５はターン部５６及び６６を有し、その両挿入部５７ａ，５７ｂ、６７ａ及び６７ｂがＵ相第１スロット群の一つである第９スロット及びＵ相第２スロットの一つである第４スロットから対をなして延び出ている。この異形セグメント導体５５及び６５の挿入部間のピッチである「後ピッチ」は、他のセグメント導体３７，４２の後ピッチが６スロットピッチであるのに対して、５スロットピッチとされている。このように、１スロットピッチ短くすることにより隣のスロットへ所謂転位をしている。
【００７２】
見方を変えれば、Ｕ相第１巻線Ｕ１の巻線部Ｕ１１の終端及び巻線部Ｕ１２の始端をＵ相第１接続部Ｕｃ１が構成している。これは、以下のＵ相第２巻線Ｕ２、Ｕ相第３巻線Ｕ３及びＵ相第４巻線Ｕ４についても同様である。
【００７３】
一方、Ｕ相第２接続部Ｕｃ２及びＵ相第４接続部Ｕｃ４は、異形セグメント導体６０及び７０により構成されている。この異形セグメント導体６０及び７０はターン部６１及び７１を有し、その両挿入部６２ａ及び６２ｂ，７２ａ及び７２ｂが第２Ｕ相スロットの一つである第１０スロット及び第１Ｕ相スロットの一つである第３スロットから対をなして延び出ている。この異形セグメント導体６０及び７０の後ピッチは、他のセグメント導体３７，４２の後ピッチ（６）よりも長い７スロットピッチとされている。このように、１スロットピッチ長くすることにより、隣のスロットへ転位をしている。
【００７４】
ｊ．引出し
次に、内側導体セグメント３７及び外側導体セグメント４２のターン部３９及び４４側から引き出された巻始め側及び巻終り側の引出し線について図４、図６、図７及び図９をもとに説明する。Ｕ相第１巻線Ｕ１の巻線部Ｕ１１の巻始め側引出し線Ｕ１ａ（図７）、及びＵ相第３巻線Ｕ３の巻線部Ｕ３１（図９）の巻始め側引出し線Ｕ３ａは、Ｕ相第１スロット群の一つである第１５スロットから対をなして延び出ている。
【００７５】
また、Ｕ相第２巻線Ｕ２の巻線部Ｕ２２の巻始め側引出し線Ｕ２ａ（図７）、及びＵ相第４巻線Ｕ４の巻線部Ｕ４２の巻始め側引出し線Ｕ４ａ（図９）は、Ｕ相第２スロット群の一つである第１６スロットから対をなして延び出ている。見方を変えると、巻線部Ｕ１ａと巻線部Ｕ２ａとは隣接するスロットから引き出され、巻線部Ｕ３ａと巻線部Ｕ４ａとは隣接するスロットから引き出されている。
【００７６】
そして、４つの巻始め側引出し線Ｕ１ａからＵ４ａは一つに束ねられ、出力端子Ｕに接続されている。つまり、図５から分かるように、引出し線Ｕ１ａ及びＵ２ａと引出し線Ｕ３ａ及びＵ４ａとは直接１つに結束されており、これら４本の引出し線を接続する接続線は存在しない（図４のベクトル図では引出し線Ｕ１ａ及びＵ２ａと引出し線Ｕ３ａ及びＵ４ａとの間に接続線が引いてあるが、これは説明の都合による）。
【００７７】
なお、図５から分かるように、Ｖ相巻線の巻始め側引出し線は第１１スロット及び第１２スロットから延び出ており、Ｗ相巻始め側引出し線は第７スロット及び第８スロットから延び出ている。
【００７８】
一方、Ｕ相第１巻線Ｕ１の巻線部Ｕ１２の巻終り側引出し線Ｕ１ｂ（図７）、及びＵ相第３巻線Ｕ３の巻線部Ｕ３２の巻終り側引出し線Ｕ３ｂ（図９）は、Ｕ相第２スロット群の一つである第２２スロットから対をなして引き出されている。また、Ｕ相第２巻線Ｕ２の巻線部Ｕ２１及びＵ相巻線の巻線部Ｕ４１の巻終り側引出し線Ｕ２ｂ及びＵ４ｂは、Ｕ相第１スロット群の一つである第２１スロットから対をなして引き出されている。見方を変えると、巻線部Ｕ１ｂと巻線部Ｕ２ｂとは隣接するスロットから引き出され、巻線部Ｕ３ｂと巻線部Ｕ４ｂとは隣接するスロットから引き出されている。そして、巻終り側引出し線Ｕ１ｂからＵ４ｂは中性点Ｎに接続されている（図５）。
【００７９】
図５から分かるように、Ｖ相巻線の巻終り側引出し線は第１７スロット及び第１８スロットから延び出ており、Ｗ相巻線の巻終り側引出し線は第１３スロット及び第１４スロットから延び出ている。
【００８０】
また、図５から分かるように、中性点Ｎを構成する４つの結合点は、各々３つの引出し線を含む。例えば第１結合点Ｎ１は第２２スロット第４層（Ｕ相）、第１８スロット第４層（Ｖ相）及び第１４スロット第４層（Ｗ相）からの引出し線から成る。なお、中性点Ｎは必ずしも図５のように４つ別々に結合する必要はなく、４つまとめて結合しても良いし、２つずつまとめて結合しても良い。ただし、セグメント導体が太くなる程、別々に結合（接合）した方が、溶接による場合は製作しやすく好ましい。
（作用効果）
この実施例の作用は公知であり、しかも本発明と直接関係ないので、説明を割愛する。      
【００８１】
この実施例によれば、以下の効果が得られる。
【００８２】
第１に、ステータコイル３５を構成するＵ相巻線、Ｖ相巻線及びＷ相巻線に大きな電流を流すことができる。各相巻線が４つの並列接続された第１から第４巻線から成ることによる。たとえば、Ｕ相巻線は４つの並列接続されたＵ相第１巻線Ｕ１，Ｕ相第２巻線Ｕ２、Ｕ相第３巻線Ｕ３及びＵ相第４巻線Ｕ４から成る。しかも、これらの合成ベクトルは等しく、ステータコア３２への一周の巻装で完結している（前記従来例では２周で完結している）。この事情は、Ｖ相巻線及びＷ相巻線についても同様である。
【００８３】
ここで、各相巻線を構成する内側導体セグメント３７の挿入部３８ａ、３８ｂ、及び外側導体セグメント４２の挿入部４３ａ、４３ｂを、各スロット３３に半径方向に４本ずつ挿入した。断面積の増加を抑えているので、表皮効果による電流増加の頭打ちの心配はない。
【００８４】
第２に、各相巻線を構成する内側導体セグメント３７及び外側導体セグメント４２から出力端子Ｕ、Ｖ及びＷ相出力端子への引出し線、及び中性点Ｎへの引出し線の接続が容易である。これは一つには、各相巻線において４つの引出し線の引出し位置が近いからである。例えば、Ｕ相巻線の巻始め側では４本の引出し線Ｕａ１からＵａ４を隣接する第１５スロット及び第１６スロットの第１層、第２層から引き出している。Ｖ相巻線の４本の引出しは第１１、第１２スロットから引き出され、Ｗ相巻線の４本の引出しは第７、第８スロットから引き出されている。
【００８５】
また、巻終り側では、例えばＵ相巻線の４つの引出し線Ｕ１ｂからＵ４ｂが隣接する第２１、第２２スロットの第３層、第４層から引き出されている。Ｖ相巻線の４本の引出し線は第１７、第１８スロットから、Ｗ相巻線の４本の引出し線は第１３、第１４スロットから引き出されている。その結果、並列巻線数が４つと多いにも拘わらず、巻き始め側でも巻き終り側でも引出し線が短く、全体的にシンプルになる。
【００８６】
もう一つには、内側導体セグメント３７及び外側導体セグメント４２の断面積が比較的小さいからであり、引出し線の整形作業（配回しや屈曲）が容易になる。
【００８７】
第３に、例えば、各相巻線の第１から第４巻線を構成する一方巻線部及び他方巻線部の合成ベクトルの調整、即ち収容スロット群の変更が容易である。例えば、Ｕ相第１から第４巻線Ｕ１からＵ４の接続部Ｕｃ１からＵｃ４を異形セグメント導体５５、６０、６５及び７０で構成している。例えばＵ相第１接続部Ｕｃ１を構成する異形導体セグメント５５は、外側セグメント導体４２と同じ構成で、両方の挿入部５７ａ、５７ｂ間のピッチが異なるのみである。よって、スロットへの挿入及び接合部の接合は外側セグメント導体４２と同様に簡単に行うことができる。
【図面の簡単な説明】
【００８８】
【図１】本発明の実施例を示す縦断面図である。
【図２】図１における要部断面図である。
【図３】上記実施例のセグメント導体の斜視図である。
【図４】上記実施例の電機子巻線のベクトル図である。
【図５】セグメント導体とスロットとの関係を示す巻線図である。
【図６】セグメント導体とスロットとの関係を示すＵ相巻線図である。
【図７】セグメント導体とスロットとの関係を示すＵ相第１巻線Ｕ１及びＵ相第２巻線Ｕ２の巻線図である。
【図８】Ｕ相第１巻線Ｕ１及びＵ相第２巻線Ｕ２の巻線状態を示す模式図（側面図）である。
【図９】セグメント導体とスロットとの関係を示すＵ相第３巻線Ｕ３及びＵ相第４巻線Ｕ４の巻線図である。
【図１０】従来例の結線図である。
【図１１】従来例の巻線図である。
【符号の説明】
【００８９】
１０:ハウジング                  ２５:ロータ
３０:ステータ                    ３２:ステータコア
３３:スロット                    ３５:ステータコイル
３７:内側セグメント導体          ４２:外側セグメント導体
Ｕ１からＵ４：第１から第４巻線
Ｕ１１、Ｕ２２：一方巻線部        Ｕ１２、Ｕ２１：他方巻線部
Ｕ、Ｖ、Ｗ：出力端子              Ｎ：中性点
Ｕａ１からＵａ４：巻始め側引出し線
Ｕｂ１からＵｂ４：巻終り側引出し線
Ｕｃ１からＵｃ４：第１から第４接続部
５５，６０，６５，７０：異形セグメント導体
【図１】
2005110361.tif 000003
【図２】
2005110361.tif 000004
【図３】
2005110361.tif 000005
【図４】
2005110361.tif 000006
【図５】
2005110361.tif 000007
【図６】
2005110361.tif 000008
【図７】
2005110361.tif 000009
【図８】
2005110361.tif 000010
【図９】
2005110361.tif 000011
【図１０】
2005110361.tif 000012
【図１１】
2005110361.tif 000013